【手続補正書】
【提出日】平成17年6月1日(2005.6.1)
【手続補正１】
【補正対象書類名】明細書
【補正対象項目名】全文
【補正方法】変更
【補正の内容】
【書類名】      明細書
【発明の名称】  連結遊技機
【特許請求の範囲】
【請求項１】  正面側に開口する正面開口部を有する箱状の本体キャビネットと、
前記本体キャビネットの前面側の前記正面開口部を開閉自在に塞ぐ前扉と、
前記本体キャビネット内部に固定されて遊技を行うための遊技構成装置とを少なくとも備え、
前記正面開口部を手前側に向けて複数台の遊技機を横方向に隣接して設置するようにした連結遊技機において、
前記本体キャビネットを構成する構造部材として、
前記本体キャビネットの下方を仕切るための底板と、
前記本体キャビネットの左右の側方を仕切るための側板と、
前記本体キャビネットの上方を仕切るための天板と、
前記本体キャビネットの後方を仕切るための背板と、
前記本体キャビネットの内部を横方向に仕切るための中板とを備え、
互いに隣接して配置された複数台の遊技機は、それらの遊技機の間をそれぞれ仕切る１枚の共有側板を、各遊技機の前記側板として共有し、
前記共有側板は、前記中板の固定位置よりも上部に、表裏に貫通する貫通開口部を設け、
前記連結遊技機のうちの各遊技機の前記遊技構成装置は、回転リール及びこの回転リールを回転させるための駆動モータを有するリールユニットを備え、
前記リールユニットは、前記本体キャビネット内の上部に配置したことを特徴とする連結遊技機。
【請求項２】  前記共有側板は、高さ方向のほぼ中央の前記中板を固定する位置に、表裏に貫通して前記中板を差込可能な差込貫通孔を備え、
前記中板は、隣接する複数台の遊技機間に跨って一体化された長尺共通中板であり、
前記長尺共通中板は、複数台の前記遊技機の前記差込貫通孔に差し込まれて、支持されていることを特徴とする請求項１記載の連結遊技機。
【請求項３】  前記底板は、隣接する複数台の遊技機間に跨って一体化された長尺共通底板であることを特徴とする請求項１記載の連結遊技機。
【請求項４】  前記天板は、隣接する複数台の遊技機間に跨って一体化された長尺共通天板であることを特徴とする請求項１記載の連結遊技機。
【請求項５】  前記背板は、隣接する複数台の遊技機間に跨って一体化された長尺共通背板であることを特徴とする請求項１記載の連結遊技機。
【請求項６】  前記側板の上端と前記天板の端との間を蝶番によって接合し、
前記側板の下端と前記底板の端との間を蝶番によって接合したことを特徴とする請求項１記載の連結遊技機。
【請求項７】  互いに隣接して配置された複数台の前記遊技機のうち、両端に配置された遊技機の一端側の遊技機は、その本体キャビネットの表裏に開口する送風口を設け、
両端に配置された遊技機の他端側の遊技機は、その本体キャビネットの表裏に開口する排気口を設けたことを特徴とする請求項１記載の連結遊技機。
【発明の詳細な説明】
【０００１】
【発明の属する技術分野】
この発明は、複数台の遊技機を隣接して配置する連結遊技機において、構造部材の共有化を図った連結遊技機に関するものである。
【０００２】
【従来の技術】
図７及び図８は、従来の遊技機であって、図７は遊技機の分解斜視図、図８は複数台の本体キャビネットを配置した正面外観図を示すものである。
従来、この種の遊技機、具体的には、例えば、スロットマシンは、正面側に開口する正面開口部を有する箱状の本体キャビネット(120)と、本体キャビネット(120)の前面側の前記正面開口部(21)を開閉自在に塞ぐ前扉(30)と、その本体キャビネット(120)内部に固定されて遊技を行うための遊技構成装置(40)とを少なくとも備えている。なお、ここで、遊技構成装置(40)とは、遊技を構成するための装置であり、遊技を行うためには必要不可欠な装置である。この遊技構成装置(40)は、具体的には、リールユニット(50)や、ホッパーユニット(56)や、電源ユニット（図示せず）等を含むものである。
【０００３】
そして、遊技ホールにおいて、複数台の遊技機を、前記正面開口部(21)を手前側に向けて横方向に隣接して並べていた。そして、遊技ホールでは、かかる複数台の遊技機を、まとめて並べて、いわゆる島を構成していた。
そして、従来の遊技機の本体キャビネット(120)を構成する構造部材として、本体キャビネット(120)の下方を仕切るための底板(60)と、本体キャビネット(120)の左右の側方を仕切るための側板と、本体キャビネット(120)の上方を仕切るための天板(65)と、本体キャビネット(120)の後方を仕切るための背板(75)と、本体キャビネット(120)の内部を横方向に仕切るための中板(80)とを備えていた。
【０００４】
そして、従来の遊技機の本体キャビネット(120)の底板(60)、天板(65)、側板(70)及び中板(80)のそれぞれの構成部材は、１台、１台の遊技機毎に、それぞれ別個、独立に形成されていた（例えば、特許文献１参照。）。
【０００５】
【特許文献１】
特開平１０−５２５２５号公報（第１図）
【０００６】
【発明が解決しようとする課題】
しかし、上記した従来の遊技機では、各本体キャビネットの各構成部材が、それぞれ別個独立に形成されているため、製造工場において、部品数が多いがために、それらの部品管理や保管や運搬も大変であり、組立作業も手間であるという第一の問題点があった。
また、本体キャビネットは、箱状であるため、本体キャビネットだけを、搬送するような場合、箱状に組み立てた状態では、大変かさばってしまい、輸送効率が悪いという第二の問題点があった。
【０００７】
また、各本体キャビネットの各構成部材が、それぞれ別個独立の稠密状の板状部材から形成されているため、複数台の遊技機の全体重量が大きくなり、運搬や組み立て作業が大変であるという第三の問題点があった。
また、各遊技機は、各本体キャビネット内部の空間が、それぞれの遊技機ごとに、独立して閉じた状態である。一方、遊技ホールの１日の使用状況において、複数の遊技機が並んで配置されているような状態であっても、それらの全ての遊技機が均等に使用されるものではなく、遊技者にとって、有利な設定等がされている特定の遊技機だけが、繰り返し、連続して長時間、使用される場合が多い。かかる使用状況では、使用時間が少ない周囲の遊技機内部の温度上昇は、小さいのに対して、上述したような特定の遊技機の本体キャビネット内部の温度上昇は大きくなる。そこで、遊技機内部に熱がこもりやすく、内部の温度上昇による電子機器の作動不良が引き起こしやすいという第四の問題点があった。
【０００８】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、上記した従来の技術の有する第一の問題点に鑑みてなされたものであり、その目的とするところは、側板の共有化を図ることにより、部品数を少なくすることができて、部品管理や保管や運搬や組立作業の容易化、原材料の節約による製造コストの低減化、軽量化を行うことができるようにした連結遊技機を提供しようとするものである。
【０００９】
更に、請求項１記載の発明は、上記した従来の技術の有する第三及び第四の問題点に鑑みてなされたものであり、その目的とするところは、共有側板の軽量化を図ることができて、全体の重量を抑えることができ、運搬工程や、組立作業を、より容易なものにすることができ、また、特定の遊技機の本体キャビネット内の雰囲気温度だけが、高温となって、内部の電子機器の動作不良の誘因となるようなことを抑えることができるようにした連結遊技機を提供しようとするものである。
（請求項２）
請求項２記載の発明は、上記した請求項１記載の発明の目的に加え、次の点を目的とする。
【００１０】
すなわち、請求項２記載の発明は、一つの長尺共通中板を複数台の遊技機で共通して、使用することができ、中板の部品数を少なくすることができ、それらの部品管理や保管や運搬も容易にすることができ、組立作業も容易にすることができるようにした連結遊技機を提供しようとするものである。
（請求項３）
請求項３記載の発明は、上記した請求項１記載の発明の目的に加え、次の点を目的とする。
すなわち、請求項３記載の発明は、一つの長尺共通底板を複数台の遊技機で共通して、使用することができ、底板の部品数を少なくすることができ、それらの部品管理や保管や運搬も容易にすることができ、組立作業も容易にすることができるようにした連結遊技機を提供しようとするものである。
【００１１】
（請求項４）
請求項４記載の発明は、上記した請求項１に記載の発明の目的に加え、次の点を目的とする。
すなわち、請求項４記載の発明は、一つの長尺共通天板を複数台の遊技機で共通して、使用することができ、天板の部品数を少なくすることができ、それらの部品管理や保管や運搬も容易にすることができ、組立作業も容易にすることができるようにした連結遊技機を提供しようとするものである。
（請求項５）
請求項５記載の発明は、上記した請求項１に記載の発明の目的に加え、次の点を目的とする。
【００１２】
すなわち、請求項５記載の発明は、一つの長尺共通背板を複数台の遊技機で共通して、使用することができ、背板の部品数を少なくすることができ、それらの部品管理や保管や運搬も容易にすることができ、組立作業も容易にすることができるようにした連結遊技機を提供しようとするものである。
（請求項６）
請求項６記載の発明は、上記した請求項１に記載の発明の目的に加え、次の点を目的とする。
すなわち、請求項６記載の発明は、上記した従来の技術の有する第二の問題点に鑑みてなされたものであり、その目的とするところは、本体キャビネットの一部を、方形状の四角枠の状態から押し潰した状態にすることにより、占有容積を小さなものにすることができ、占有容積を取らずに、保管や、搬送をすることができ、部品の保管や、搬送を効率的なものにすることができるようにした連結遊技機を提供しようとするものである。
【００１３】
（請求項７）
請求項７記載の発明は、上記した請求項１に記載の発明の目的に加え、次の点を目的とする。
すなわち、請求項７記載の発明は、上記した従来の技術の有する第四の問題点に鑑みてなされたものであり、その目的とするところは、遊技機の本体キャビネット内部の空気の循環をよりスムーズなものにして、熱が特定の遊技機内部に籠もって、特定箇所の雰囲気温度が上昇するようなことを、よりいっそう回避することができるようにした連結遊技機を提供しようとするものである。
【００１４】
【課題を解決するための手段】
（特徴点）
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものでない。
【００１５】
（請求項１）
請求項１記載の発明は、次の点を特徴とする。
すなわち、本発明に係る連結遊技機(10)は、正面側に開口する正面開口部(21)を有する箱状の本体キャビネット(20)と、前記本体キャビネット(20)の前面側の前記正面開口部(21)を開閉自在に塞ぐ前扉(30)と、前記本体キャビネット(20)内部に固定されて遊技を行うための遊技構成装置(40)とを少なくとも備えている。
そして、本発明に係る連結遊技機(10)は、前記正面開口部(21)を手前側に向けて複数台の遊技機を横方向に隣接して設置するようにしたものである。
【００１６】
そして、前記本体キャビネット(20)を構成する構造部材として、前記本体キャビネット(20)の下方を仕切るための底板(60)と、前記本体キャビネット(20)の左右の側方を仕切るための側板(70)と、前記本体キャビネット(20)の上方を仕切るための天板(65)と、前記本体キャビネット(20)の後方を仕切るための背板(75)と、前記本体キャビネット(20)の内部を横方向に仕切るための中板(80)とを備えている。
そして、互いに隣接して配置された複数台の遊技機は、それらの遊技機の間をそれぞれ仕切る１枚の共有側板(71)を、各遊技機の前記側板(70)として共有している。
【００１７】
そして、前記共有側板(71)は、前記中板(80)の固定位置よりも上部に、表裏に貫通する貫通開口部(73)を設けている。
そして、前記連結遊技機(10)のうちの各遊技機の前記遊技構成装置(40)は、回転リール(55)及びこの回転リール(55)を回転させるための駆動モータを有するリールユニット(50)を備えている。
そして、前記リールユニット(50)は、前記本体キャビネット(120)内の上部に配置したことを特徴とする。
なお、ここで、「前記本体キャビネット(20)内部に固定されて遊技を行うための遊技構成装置(40)」とは、本体キャビネット(20)の内部の正面開口部(21)内部に固定されて、当該遊技機により遊技を行うために必要な装置であって、具体的には、リールユニット(50)や、ホッパーユニット(56)や、電源ユニット等の機器を含むものである。
【００１８】
また、ここで、「前記正面開口部(21)を手前側に向けて複数台の遊技機を横方向に隣接して設置する」とは、正面開口部(21)が手前側にくるように配置し、特定の遊技機の側板(70)の横に、次の遊技機を配置して、当該遊技機の側板(70)の横にその次の遊技機が、これを繰り返すことにより、横方向に複数の遊技機が並ぶように配置されているものを意味する。
また、ここで、側板(70)、天板(65)、底板60及び背板(75)の関係は、２枚の所定間隔に離間した位置に平行に配置された同一寸法形状の側板(70)の上端間を天板(65)が塞ぎ、２枚の前記側板(70)の下端間を底板(60)が塞ぐような関係にあるものである。
【００１９】
また、ここで、「互いに隣接して配置された複数台の遊技機は、それらの遊技機の間をそれぞれ仕切る１枚の共有側板(71)を、各遊技機の前記側板(70)として共有している」のうちの「互いに隣接して配置された複数台の遊技機」とは、複数台の遊技機を、正面開口部(21)を手前側に向けた状態で、横方向に隣接させて一列に並べたものである。すなわち、１台の遊技機の横に隣接する状態で、２台目の遊技機が形成され、その２台目の遊技機の横に隣接する状態で、３台目の遊技機が形成され、これを繰り返して、（ｎ−１）台目の遊技機の横に隣接する状態で、ｎ台目の遊技機が形成されていることを意味する。
【００２０】
そして、ここで、「互いに隣接して配置された複数台の遊技機は、それらの遊技機の間をそれぞれ仕切る１枚の共有側板(71)を、各遊技機の前記側板(70)として共有している」とは、一列に横方向に並んだ複数台の遊技機のうち、互いに隣接する２台の遊技機の間を仕切るものとして、１枚の共有側板(71)だけが形成され、かかる１枚の共有側板(71)が、２台の遊技機の共通の側板(70)として共有されている状態を意味する。さらに、この共有側板(71)が一列に並んだ複数台の遊技機の間で、同様に形成されていることを意味するものである。すなわち、２台の遊技機を並べた場合には、その２台の遊技機の間を仕切る１枚の共有側板(71)を有しているものである。そして、３台の遊技機を並べた場合には、真ん中の遊技機の左右両側を仕切る側板(70)として、共有側板(71)が使用され、結果として合計２枚の共有側板(71)を有しているものである。そして、４台の遊技機を並べた場合には、中央の２台の遊技機のそれぞれの左右を仕切るための側板(70)として、合計３枚の共有側板(71)を有しているものである。
【００２１】
（作用）
本発明によれば、互いに隣接して配置された複数台の遊技機は、それらの遊技機の間をそれぞれ仕切る１枚の共有側板(71)を、各遊技機の側板(70)として共有している。このため、側方を仕切るための側板(70)を各遊技機毎、それぞれ別個独立に形成するものと比較して、隣接する遊技機間で共有側板(71)を共有して使用する方が、その使用枚数を少なくすることができ、合計の部材数を少なくすることができる。すなわち、側板の共有化を図ることができ、本体キャビネット(20)の部品数を少なくすることができる。そして、部品数を少なくすることができることにより、それらの部品管理や保管や運搬も容易にすることができ、組立作業も容易にすることができる。
【００２２】
また、部品数が少なくなることにより、原材料の節約をはかることができて、製造コストを低減させることができ、また、軽量化することができる。
更に、本発明は、共有側板(71)に貫通開口部(73)を設けたことにより、共有側板(71)の軽量化を図ることができて、複数台の遊技機の全体の重量を抑えることができる。これにより、共有側板(71)の運搬工程や、組立作業を、より容易なものにすることが可能となる。
また、共有側板(71)に貫通開口部(73)を設けたことにより、複数台の遊技機の本体キャビネット(20)内部の空間を、かかる貫通開口部(73)を介して、連通した一つの空間にすることができる。
【００２３】
これにより、複数の遊技機のうち、特定の遊技機だけが長時間使用されて、その本体キャビネット(20)内部の雰囲気温度が上昇すると、隣接する複数の遊技機の内部へ、貫通開口部(73)を介して、隣接する遊技機の内部の温度よりも高温となっている空気が流れ出し、同時に、周囲の遊技機内部の高温になっていない空気が、温度上昇した遊技機の内部に貫通開口部(73)を介して流入する。かかる温度差による空気の対流が、複数の遊技機間で、貫通開口部(73)を介して発生し、特定の台だけが、いたずらに高温となることを防止することができる。
【００２４】
特に、共有側板(71)の上部に貫通開口部(73)を設けたことで、大きな熱発生源となる駆動モータを有するリールユニットが配置された本体キャビネットの上部側の空気の循環を図ることができるものである。
このように、複数の遊技機の本体キャビネット(20)の内部の空間が、貫通開口部(73)を介して、一つの連通した空間となっていることにより、温度差による空気の自然対流を発生させることができ、複数の遊技機の本体キャビネット(20)内部の雰囲気温度を均一化することができる。
したがって、複数台の遊技機を並べて配置したときに、特定の遊技機だけが長時間使用されて、かかる特定の遊技機の密閉された本体キャビネット(20)内の雰囲気温度だけが、高温となって、内部の電子機器の作動不良の誘因となるようなことを防止することができる。
【００２５】
（請求項２）
請求項２記載の発明は、上記した請求項１記載の発明の特徴点に加え、次の点を特徴とする。
すなわち、前記共有側板(71)は、高さ方向のほぼ中央の前記中板(80)を固定する位置に、表裏に貫通して前記中板(80)を差込可能な差込貫通孔(72)を備えている。
そして、前記中板(80)は、隣接する複数台の遊技機間に跨って一体化された長尺共通中板(81)であり、前記長尺共通中板(81)は、複数台の前記遊技機の前記差込貫通孔(72)に差し込まれて、支持されていることを特徴とする。
【００２６】
なお、ここで、「隣接する複数台の遊技機間に跨って一体化された長尺共通中板(81)」とは、長尺共通中板(81)が、遊技機毎に、それぞれ分離することにより、別個独立の状態に形成されているものではなく、隣接する複数台の遊技機において、一体化されて共通して使用可能な長尺状の板状のものであることを意味する。具体的には、長尺共通中板(81)は、隣接する複数台の遊技機の各遊技機の横幅の台数分に略相当する長さの長尺状の板である。
（作用）
本発明は、中板(80)を、隣接する複数台の遊技機間に跨って一体化された長尺共通中板(81)を使用している。このため、各遊技機毎、それぞれ別個独立に形成するものと比較して、中板(80)の使用枚数を少なくすることができ、合計の部材数を少なくすることができる。すなわち、一つの長尺共通中板(81)を複数台の遊技機で共通して、使用することができ、中板(80)の部品数を少なくすることができる。そして、中板(80)の部品数を少なくすることができることにより、それらの部品管理や保管や運搬も容易にすることができ、組立作業も容易にすることができる。
【００２７】
（請求項３）
請求項３記載の発明は、上記した請求項１の発明の特徴点に加え、次の点を特徴とする。
すなわち、前記底板(60)は、隣接する複数台の遊技機間に跨って一体化された長尺共通底板(61)であることを特徴とする。
なお、ここで、「隣接する複数台の遊技機間に跨って一体化された」とは、請求項２の手段で説明したものと略同様である。
（作用）
本発明は、底板(60)を、隣接する複数台の遊技機間に跨って一体化された長尺共通底板(61)を使用している。このため、各遊技機毎、それぞれ別個独立に形成するものと比較して、底板(60)の使用枚数を少なくすることができ、合計の部材数を少なくすることができる。すなわち、一つの長尺共通底板(61)を複数台の遊技機で共通して、使用することができ、底板(60)の部品数を少なくすることができる。そして、底板(60)の部品数を少なくすることができることにより、それらの部品管理や保管や運搬も容易にすることができ、組立作業も容易にすることができる。
【００２８】
（請求項４）
請求項４記載の発明は、上記した請求項１に記載の発明の特徴点に加え、次の点を特徴とする。
すなわち、前記天板(65)は、隣接する複数台の遊技機間に跨って一体化された長尺共通天板(66)であることを特徴とする。
なお、ここで、「隣接する複数台の遊技機間に跨って一体化された」とは、請求項２の手段で説明したものと略同様である。
（作用）
本発明は、天板(65)を、隣接する複数台の遊技機間に跨って一体化された長尺共通天板(66)を使用している。このため、各遊技機毎、それぞれ別個独立に形成するものと比較して、天板(65)の使用枚数を少なくすることができ、合計の部材数を少なくすることができる。すなわち、一つの長尺共通天板(66)を複数台の遊技機で共通して、使用することができ、天板(65)の部品数を少なくすることができる。そして、天板(65)の部品数を少なくすることができることにより、それらの部品管理や保管や運搬も容易にすることができ、組立作業も容易にすることができる。
【００２９】
（請求項５）
請求項５記載の発明は、上記した請求項１に記載の発明の特徴点に加え、次の点を特徴とする。
すなわち、前記背板(75)は、隣接する複数台の遊技機間に跨って一体化された長尺共通背板(76)であることを特徴とする。
なお、ここで、「隣接する複数台の遊技機間に跨って一体化された」とは、請求項２の手段で説明したものと略同様である。
（作用）
本発明は、背板(75)を、隣接する複数台の遊技機間に跨って一体化された長尺共通背板(76)を使用している。このため、各遊技機毎、それぞれ別個独立に形成するものと比較して、背板(75)の使用枚数を少なくすることができ、合計の部材数を少なくすることができる。すなわち、一つの長尺共通背板(76)を複数台の遊技機で共通して、使用することができ、背板(75)の部品数を少なくすることができる。そして、背板(75)の部品数を少なくすることができることにより、それらの部品管理や保管や運搬も容易にすることができ、組立作業も容易にすることができる。
【００３０】
（請求項６）
請求項６記載の発明は、上記した請求項１に記載の発明の特徴点に加え、次の点を特徴とする。
すなわち、前記側板(70)の上端と前記天板(65)の端との間を蝶番(90)によって接合し、前記側板(70)の下端と前記底板(60)の端との間を蝶番(90)によって接合したことを特徴とする。
なお、ここで、「蝶番(90)」とは、２つの部材をつなぎ止める金具であって、開閉角度が自由に変更可能な二片からなる金具を意味するものである。
【００３１】
また、ここで、「前記側板(70)の上端と前記天板(65)の端との間を蝶番(90)によって接合し」とは、具体的には、一台の遊技機に関して説明すると、図３に示すように、向かって右側の側板(70)の上端と、天板(65)の左右両端のうち、向かって右側の端との間を、蝶番(90)によって、接合していることや、さらに、向かって左側の側板(70)の上端と、天板(65)の左右両端のうち、向かって左側の端との間を、蝶番(90)によって、接合していることを意味するものである。
そして、側板(70)及び天板(65)の位置を拘束するようなものを取り払った場合、すなわち、側板(70)及び天板(65)を拘束する背板(75)や、中板(80)が無い状態の場合、かかる蝶番(90)によって、側板(70)と天板(65)とが接合されていることにより、側板(70)及び天板(65)の接合角度を変更することが可能となるものである。
【００３２】
そして、「前記側板(70)の下端と前記底板(60)の端との間を蝶番(90)によって接合し」とは、具体的には、一台の遊技機に関して説明すると、図３に示すように、向かって右側の側板(70)の下端と、底板(60)の左右両端のうち、向かって右側の端との間を、蝶番(90)によって、接合していることや、さらに、向かって左側の側板(70)の下端と、底板(60)の左右両端のうち、向かって左側の端との間を、蝶番(90)によって、接合していることを意味するものである。
そして、側板(70)及び底板(60)の位置を拘束するようなものを取り払った場合、すなわち、側板(70)及び底板(60)を拘束する背板(75)や、中板(80)が無い状態の場合、かかる蝶番(90)によって、側板(70)と底板(60)とが接合されていることにより、側板(70)及び底板(60)の接合角度を変更することが可能となるものである。
【００３３】
そして、かかる底板(60)、天板(65)及び側板(70)を拘束するような中板(80)や背板(75)が無い場合、これらの正面側から見ると、２つの側板(70)と、その上端を渡した天板(65)と、２つの側板(70)の下端を渡した底板(60)とからなる四角形状から、当該四角形状を押し潰したような形状に変形可能となるものである。すなわち、２つの側板(70)、底板(60)及び天板(65)を、いわゆるリンクと仮定すると、４つのリンク（２つの側板(70)、底板(60)及び天板(65)）が全て回り対偶によって連鎖をなした、いわゆる四節回転連鎖（quadric crank chain）と同様のリンク装置に類似の動作をするものである。
【００３４】
その際、左右の側板(70)の長さ方向の寸法が等しく、天板(65)及び底板(60)の長さ方向の寸法が等しいような場合、これらを正面側から見ると、２つの側板(70)と、その上端を渡した天板(65)と、２つの側板(70)の下端を渡した底板(60)とからなる略方形状の四辺形から、かかる方形状の四辺形を押し潰したような平行四辺形に変形可能となるものである。
本発明は、具体的には、例えば、２枚の左右の同一長さの側板(70)の上端間に天板(65)が蝶番(90)によって、接合され、左右の側板(70)の下端間に底板(60)が蝶番(90)によって、接合されているような場合、そして、この２枚の側板(70)と、天板(65)と、底板(60)とにより、四角枠状のものが形成され、それらの接合の角部が蝶番(90)によって変更可能なものとなる。このため、一つの本体キャビネット(20)は、底板(60)、天板(65)及び側板(70)からなる枠が、あたかも、平行運動機構や、平行クランク機構のような、種々の平行四辺形の形状に変化することが可能なものとなる。
【００３５】
そして、さらに、図３に示すように、側板(70)を共有側板(71)として共有し、複数台の遊技機の本体キャビネット(20)を、形成しているような場合、それぞれの本体キャビネット(20)は、背板(75)及び中板(80)を有していない状態で、平行四辺形の形状に変形可能なものである。
（作用）
本発明は、本体キャビネット(20)から背板(75)及び中板(80)がない状態において、すなわち、本体キャビネット(20)から背板(75)及び中板(80)による拘束が無い状態において、側板(70)と天板(65)との接合する角度を変更することができる。また、かかる状態において、側板(70)と底板(60)との接合する角度を変更することができる。このため、側板(70)と天板(65)と底板(60)との方形状の四角枠の状態から、かかる方形状を、左右方向から平行四辺形等の押し潰した状態の枠にすることが可能となる。このように方形状の四角枠の状態から押し潰した状態にすることにより、占有容積を小さなものにすることができ、占有容積を取らずに、保管や、搬送をすることができ、部品の保管や、搬送を効率的なものにすることができる。
【００３６】
（請求項７）
請求項７記載の発明は、上記した請求項１に記載の発明の特徴点に加え、次の点を特徴とする。
すなわち、互いに隣接して配置された複数台の前記遊技機のうち、両端に配置された遊技機の一端側の遊技機は、その本体キャビネット(20)の表裏に開口する送風口(95)を設けている。
そして、両端に配置された遊技機の他端側の遊技機は、その本体キャビネット(20)の表裏に開口する排気口(96)を設けたことを特徴とする。
【００３７】
本発明は、例えば、Ｎ台の遊技機が、互いに隣接して横方向に一列に配置されているような場合であって、かかるＮ台の本体キャビネット(20)内部の空間は、それらの本体キャビネット(20)間を仕切る共有側板(71)の上部に開口する貫通開口部(73)を介して、連通した一つの空間を形成しているものである。そして、例えば、Ｎ台、横に並んだ遊技機のうち、１台目の遊技機の本体キャビネット(20)に送風口(95)を設けた場合、Ｎ台目の遊技機の本体キャビネット(20)に排気口(96)を設けているようなものを含むものである。したがって、横方向に並べた複数台の遊技機の一番端の遊技機に、送風口(95)が形成されている場合、その反対側の端の遊技機に排気口(96)が形成されるものである。すなわち、送風口(95)から排気口(96)まで、それらの遊技機の本体キャビネット(20)内部の空間は、それらの間を仕切る共有側板(71)の貫通開口部(73)を介して、連通しているものである。
【００３８】
なお、ここで、送風口(95)又は排気口(96)のうち、いずれか一方、或いは、送風口(95)及び排気口(96)の両方に、モーター等により回転駆動して、強制対流を発生させるファン等を形成しても良いものである。
（作用）
本発明は、送風口(95)と、排気口(96)との間は、複数の遊技機の本体キャビネット(20)間の共有側板(71)に開口する貫通開口部(73)を介して、連通する一つの連続する空間を形成している。これにより、外部からの空気が、互いに隣接して配置された複数台の遊技機のうち、一端側の遊技機の送風口(95)から入り込んで、貫通開口部(73)を介して、複数の遊技機の本体キャビネット(20)内部を通過して、互いに隣接して配置された複数台の遊技機の他端側の排気口(96)から排出される。これにより、連結遊技機(10)の本体キャビネット(20)内部の空気の循環をよりスムーズなものにして、熱が特定の遊技機に籠もって、特定箇所の雰囲気温度が上昇するようなことを、よりいっそう回避することができる。
【００３９】
【発明の実施の形態】
（第一の実施の形態）
（図面の説明）
図１及び図２は、本発明の第一の実施の形態を示すものである。
図１は本体キャビネットの概略斜視図、図２は本体キャビネットの概略正面図をそれぞれ示すものである。
（連結遊技機10）
本実施の形態に係る連結遊技機10は、具体的には、スロットマシンであって、図１に示すような正面側に開口する正面開口部21を有する箱状の本体キャビネット20（図１）と、図７に示すような本体キャビネット120の前面側の正面開口部21を開閉自在に塞ぐ前扉30（図７）と、図７に示すような本体キャビネット120内部に固定されて遊技を行うための遊技構成装置40（図７）とを少なくとも備えている。すなわち、図７に示す遊技機のうち、本体キャビネット120を、図１に示す本体キャビネット20にしたものが、本実施の形態に係る連結遊技機10である。
【００４０】
なお、ここで、連結遊技機10のうちの各遊技機の遊技構成装置40は、図７に示すように、本体キャビネット120の内部に固定されて、遊技を行うために必要な装置であって、回転リール55を有するリールユニット50や、遊技メダルを遊技者に払い出すとともに、投入された遊技メダルを貯留するためのホッパーユニット56等を含むものである。
本実施の形態に係る連結遊技機10は、本体キャビネット20の正面開口部21を手前側に向けて複数台の遊技機を横方向に隣接して設置するものである。具体的には、遊技ホールの床面から人間の腰の高さぐらいまでに複数の遊技機をまとめて固定するための基礎部材が形成され、この基礎部材の上に複数の遊技機が、横方向に並べて配置されるものである。このように、複数の遊技機をまとめて載置して、遊技ホールにおける、いわゆる島を形成しているものである。そして、複数の遊技機を、遊技ホールの壁際に向かって横方向に一列並べるような島を形成するような場合と、遊技ホールの壁から離れて、横方向に複数の遊技機を一列に並べた後ろに、遊技機同士を背中合わせにして、もう一列並べ、合計二列の複数の遊技機を、一つの島として形成するような場合とがある。
【００４１】
本実施の形態に係る連結遊技機10は、本体キャビネット20を構成する構造部材として、本体キャビネット20の下方を仕切るための底板60と、本体キャビネット20の左右の側方を仕切るための側板70と、本体キャビネット20の上方を仕切るための天板65と、本体キャビネット20の後方を仕切るための背板75と、本体キャビネット20の内部を横方向に仕切るための中板80とを備えているものである。
（共有側板71）
本実施の形態では、互いに隣接して配置された複数台の遊技機は、それらの遊技機の間をそれぞれ仕切る１枚の共有側板71を、各遊技機の側板70として共有していることを特徴とするものである。すなわち、互いに隣接して配置される遊技機の間にある側板70は、各遊技機毎にそれぞれ別個独立に形成してあるのではなく、１枚の共有側板71を、その共有側板71の左右に隣接する遊技機間で、本体キャビネット20の左右を仕切るための側板70として、共有して使用するものである。具体的には、図１に示すように、３台の遊技機を互いに隣接して配置してあるような場合、両端の側板70は、通常のものと変わらないが、向かって左側から１台目の本体キャビネット20と、左側から２台目の本体キャビネット20との間に１枚の共有側板71が形成され、また、左側から２台目の本体キャビネット20と、左側から３台目の本体キャビネット20との間に１枚の共有側板71が形成されているものである。すなわち、３台の本体キャビネット20を配置した場合、図８に示す従来の遊技機のように、各側板70を、各本体キャビネット120毎に別個独立に形成するならば、図８に示すように合計６枚の側板70を使用するものであるが、図１に示すように、本実施の形態に係る連結遊技機10では、隣接する遊技機10同士で１枚の共有側板71を、各遊技機の側板70として共有して使用することにより、合計４枚の側板70ですむものである。このため、側板70の２枚分の厚みだけ、横方向のスペースをあけることができる。これにより、共有して使用することにより減った側板70の枚数分の厚みだけ、横方向のスペースを確保することができる。したがって、多数の遊技機の台を、横方向に並べて置くような場合、従来よりも多くの台数を置くことができる。
【００４２】
本実施の形態では、図１に示すように、互いに隣接して配置された遊技機は、それらの遊技機の間をそれぞれ仕切る１枚の共有側板71を、各遊技機10の側板70として共有し、３台の遊技機全体で合計で２枚の共有側板71を使用している。このため、側方を仕切るための側板70を各遊技機毎、それぞれ別個独立に形成するものと比較して、隣接する遊技機間で共有側板71を共有して使用する方が、上述したように６枚の使用から４枚の使用ですみ、側板70の使用枚数を少なくすることができ、合計の部材数を少なくすることができる。すなわち、側板70の共有化を図ることができ、本体キャビネット20の部品数を少なくすることができる。そして、部品数を少なくすることができることにより、それらの部品管理や保管や運搬も容易にすることができ、組立作業も容易にすることができる。また、部品数が少なくなることにより、原材料の節約をはかることができて、製造コストを低減させることができ、また、軽量化することができる。
【００４３】
（差込貫通孔72）
左右の両側板70と、それらの間に位置する前記共有側板71とも含めた全ての側板70は、その高さ方向のほぼ中央の中板80を固定する位置に、表裏に貫通して中板80を差込可能な差込貫通孔72を備えている。この差込貫通孔72は、中板80の縦断面形状とほぼ整合するような横方向に伸びる溝状の形状に形成されている。この差込貫通孔72から左右の横方向から中板80を差し込むことができるものである。
（長尺共通中板81）
そして、この差込貫通孔72に差し込む中板80は、隣接する複数台（具体的には３台）の遊技機10間に跨って一体化された長尺共通中板81である。この長尺共通中板81は、１枚ものの細長い板状に形成されている。すなわち、遊技機の横幅の３倍の長さを長尺方向に有している。
【００４４】
そして、長尺共通中板81は、複数台（具体的には、３台）の遊技機の差込貫通孔72に差し込まれて、支持されている。
本実施の形態は、中板80を、隣接する複数台の遊技機間に跨って一体化された長尺共通中板81を使用しているため、各遊技機毎、それぞれ別個独立に形成するものと比較して、中板80の使用枚数を少なくすることができ、合計の部材数を少なくすることができる。すなわち、一つの長尺共通中板81を複数台の遊技機で共通して、使用することができ、中板80の部品数を少なくすることができる。そして、中板80の部品数を少なくすることができることにより、それらの部品管理や保管や運搬も容易にすることができ、組立作業も容易にすることができる。
【００４５】
（貫通開口部73）
前記共有側板71は、中板80である長尺共通中板81の固定位置よりも上部に、すなわち、差込貫通孔72よりも上部に、表裏に貫通する貫通開口部73を設けている。この貫通開口部73は、全体形状がほぼ四角形に開口する孔である。この貫通開口部73を設けたことにより、共有側板71の差込貫通孔72よりも上部は、四角枠状に形成されている。
本実施の形態では、共有側板71に貫通開口部73を設けたことにより、共有側板71の軽量化を図ることができて、複数台の遊技機10の全体の重量を抑えることができる。これにより、共有側板71の運搬工程や、組立作業を、より容易なものにすることが可能となる。
【００４６】
そして、各共有側板71に貫通開口部73を設けたことにより、３台の遊技機の本体キャビネット20内部の空間を、かかる貫通開口部73を介して、連通した一つの空間にすることができる。
これにより、遊技ホールにおいて、３台の遊技機のうち、特定の遊技機だけが、遊技者に有利となるような設定の違い等により、多数の遊技者に長時間使用されて、その特定の遊技機の本体キャビネット20内部の雰囲気温度が上昇すると、隣接する他の遊技機の内部へ、貫通開口部73を介して、隣接する遊技機の内部の温度よりも高温となっている空気が流れ出し、同時に、周囲の遊技機内部の当該遊技機内部の雰囲気温度よりも低温の空気が、温度上昇した遊技機の内部に貫通開口部73を介して流入する。かかる温度差による空気の対流が、３台の遊技機間で、貫通開口部73を介して発生し、内部温度を均一化して、特定の１台の本体キャビネット20内部の雰囲気温度だけが、極端に高温となることを抑えることができる。これにより、特定の遊技機内部の雰囲気温度が高温となって、その内部の電子機器の作動不良の誘因となるようなことを回避することができる。
【００４７】
（長尺共通底板61、長尺共通天板66及び長尺共通背板76）
前記底板60は、隣接する複数台の遊技機間に跨って一体化された長尺共通底板61である。この長尺共通底板61は、図１に示すように、３台の遊技機の底板60として使用可能な１枚ものの細長い板状に形成されている。すなわち、１台の遊技機の横幅の３倍の長さを長尺方向に有している長尺状の板である。
前記天板65は、隣接する複数台の遊技機間に跨って一体化された長尺共通天板66である。この長尺共通天板66は、図１に示すように、３台の遊技機の天板65として使用可能な１枚ものの細長い板状に形成されている。すなわち、１台の遊技機の横幅の３倍の長さを長尺方向に有している長尺状の板である。
【００４８】
前記背板75は、隣接する複数台の遊技機間に跨って一体化された長尺共通背板76である。この長尺共通背板76は、図１に示すように、３台の遊技機の背板75として使用可能な１枚ものの長方形状の板状に形成されている。すなわち、１台の遊技機の背面側を塞ぐ面積の３倍の面積を有する長方形状の薄板である。
本実施の形態では、上述したような長尺共通底板61、長尺共通天板66及び長尺共通背板76を使用しているため、各遊技機毎、それぞれ別個独立に形成するものと比較して、各部材の使用枚数を少なくすることができ、合計の部材数を少なくすることができる。すなわち、一つの長尺共通底板61、長尺共通天板66及び長尺共通背板76を３台の遊技機で共通して、使用することができ、各部材の部品数を少なくすることができる。そして、各部材の部品数を少なくすることができることにより、それらの部品管理や保管や運搬も容易にすることができ、組立作業も容易にすることができる。
【００４９】
（送風口95及び排気口96）
本実施の形態において、互いに隣接して配置された複数台の遊技機のうち、両端に配置された遊技機の一端側の遊技機は、その本体キャビネット20の表裏に開口する送風口95を設けてある。そして、両端に配置された遊技機の他端側の遊技機は、その本体キャビネット20の表裏に開口する排気口96を設けてある。
具体的には、図１に示すように、前記送風口95は、長尺共通背板76の右端側の本体キャビネット20の背板75を構成する箇所の上部に、表裏に貫通する長方形状に形成されているものである。そして、前記排気口96は、図１に示すように、長尺共通背板76の左端側の本体キャビネット20の背板75を構成する箇所の上部に、表裏に貫通する長方形状に形成されているものである。これにより、排気口96から入り込んだ外気が、２枚の共有側板71のそれぞれの貫通開口部73を経て、排気口96により、外部に出るような空気の流れを発生させることが可能となるものである。これにより、連結遊技機10内部で発生した熱を有効に外部に放出させることができる。したがって、連結遊技機10の本体キャビネット20内部の空気の循環をよりスムーズなものにして、熱が特定の遊技機10にこもって、特定箇所の雰囲気温度が上昇するようなことを、よりいっそう回避することができる。
【００５０】
なお、ここで、送風口95及び排気口96は、単に表裏に貫通する孔であるが、かかる送風口95及び排気口96に、強制的に空気対流を発生させることが可能な強制ファンを設けて、強制的に空気の循環を図るようにしても良いものである。
また、連結遊技機10において、大きな熱発生源は、リールユニット50の回転リール55を回転駆動させるための駆動モータや、制御装置内部のＣＰＵや、各種の演出をするためのランプや、液晶や、ＬＥＤ等であって、主として、連結遊技機10の上部に集中しているものである。このため、連結遊技機10の上部側に送風口95及び排気口96を設け、共有側板71の上部側に貫通開口部73を設けて、上部側の空気の循環を図っているものである。もちろん、共有側板71の下方側にも、貫通開口部73と同様な表裏に貫通する開口部を設けて、背板75の下方側に、同様の送風口95及び排気口96を設けても良いものである。これにより、遊技機10の下部側の空気の流れを発生させることができて、下部側の雰囲気温度が上昇するのを抑えることができる。
【００５１】
（第二の実施の形態）
図３乃至図６は、第二の実施の形態であって、図３は本体キャビネットの外観正面図、図４は本体キャビネットの一部を変形させた状態の外観正面図、図５は本体キャビネットの一部をさらに変形させた状態の外観正面図、図６は本体キャビネットの差込貫通孔に、長尺共通中板を差し込んでいる状態の外観斜視図をそれぞれ示すものである。
本実施の形態は、第一の実施の形態で説明した本体キャビネット20のうち、共有側板71、長尺共通中板81及び長尺共通背板76は、第一の実施の形態で説明したものと同一のものを使用しているが、第一の実施の形態で説明した本体キャビネット20のうち、３台の隣接する遊技機で共通に使用していた一体の長尺共通天板66及び長尺共通底板61を使用せずに、その代わりに、各遊技機毎に、別個独立の天板65及び底板60を使用しているものである。そして、各天板65の両端と、側板70の上端との間に蝶番90を設けて、天板65と側板70との接合角度が自由に変化可能に形成されている。そして、各底板60の両端と、側板70の下端との間に同様の蝶番90を設けて、底板60と側板70との接合角度が自由に変化可能に形成されているものである。
【００５２】
そして、第一の実施の形態と同様に、共有側板71に差込貫通孔72や貫通開口部73を設け、長尺共通背板76には、送風口95及び排気口96を設けている点は、第一の実施の形態と同じである。その他の構成は、第一の実施の形態と同様であって、それらの説明は省略する。
本実施の形態は、天板65と側板70との接合角度が直角に設定され、底板60と底板60との接合角度が直角に設定された状態で、背面側から長尺共通背板76を固定し、更に、長尺共通中板81を各差込貫通孔72に差し込むことにより、天板65、側板70及び底板60の自由な変形が拘束されて、通常の本体キャビネット20として使用可能な状態となるものである。したがって、長尺共通中板81及び長尺共通背板76による拘束が無い状態では、天板65、側板70及び底板60からなる三個の枠は、蝶番90により、図４及び図５に示すように、それぞれ長方形状のものが、押しつぶされたような平行四辺形に変形することができる。
【００５３】
前記蝶番90は、２つの部材をつなぎ止める金具であって、開閉角度が自由に変更可能な二片からなる金具を意味する。例えば、この二片の一方の片に、天板65の右端面をねじ等で固定し、二片の他方の片に、側板70の上端付近の側面をねじ等で固定することにより、天板65と、側板70とが蝶番90で接合された状態を維持しつつ、両者の交差する角度、いわゆる接合角度を、蝶番90の二片の開き角度を変えることにより、変化させることができるものである。
本実施の形態は、本体キャビネット20から背板75及び中板80がない状態において、すなわち、本体キャビネット20から背板75及び中板80による拘束が無い状態において、側板70と天板65との接合する角度を変更することができる。また、かかる状態において、側板70と底板60との接合する角度を変更することができる。このため、図３に示すような側板70と天板65と底板60とによる方形状の四角枠の状態から、図４及び図５に示すように、かかる方形状を、左右方向から平行四辺形等の押し潰した状態の枠にすることが可能となる。このように方形状の四角枠の状態から押し潰した状態にすることにより、組立工程や、分解工程において、本体キャビネット20の占有容積を小さなものにすることができ、占有容積を取らずに、保管や、搬送をすることができ、部品の保管や、廃棄や、搬送を効率的なものにすることができる。
【００５４】
なお、蝶番90の取付位置や、取付方向は、図３のように設定しているが、特にこれに限定されるものではなく、蝶番90により接合する二つの部材の交差する角度、いわゆる接合角度が変化するようなものであれば、他の取付位置や、取付方向に設定しても良いものである。
また、上述した第一及び第二の実施の形態では、横方向に隣接して配置された複数台の遊技機10の台数は、３台であったが、かかる一つの単位となる台数は特に３台に限定されるものではなく、他の数値、例えば、２台でもよく、或いは、４台以上の数値でも良いものである。
【００５５】
【発明の効果】
本発明は、以上のように構成されているので、以下に記載されるような効果を奏する。
（請求項１）
請求項１記載の発明によれば、次のような効果を奏する。
すなわち、請求項１記載の発明によれば、側板の共有化を図ることにより、部品数を少なくすることができて、部品管理や保管や運搬や組立作業の容易化、原材料の節約による製造コストの低減化、軽量化を行うことができるようにした連結遊技機を提供することができる。
【００５６】
更に、請求項１記載の発明によれば、共有側板の軽量化を図ることができて、全体の重量を抑えることができ、運搬工程や、組立作業を、より容易なものにすることができ、また、特定の遊技機の本体キャビネット内の雰囲気温度だけが、高温となって、内部の電子機器の動作不良の誘因となるようなことを抑えることができるようにした連結遊技機を提供することができる。
（請求項２）
請求項２記載の発明によれば、上記した請求項１記載の発明の効果に加え、次のような効果を奏する。
【００５７】
すなわち、請求項２記載の発明によれば、一つの長尺共通中板を複数台の遊技機で共通して、使用することができ、中板の部品数を少なくすることができ、それらの部品管理や保管や運搬も容易にすることができ、組立作業も容易にすることができるようにした連結遊技機を提供することができる。
（請求項３）
請求項３記載の発明によれば、上記した請求項１記載の発明の効果に加え、次のような効果を奏する。
すなわち、請求項３記載の発明によれば、一つの長尺共通底板を複数台の遊技機で共通して、使用することができ、底板の部品数を少なくすることができ、それらの部品管理や保管や運搬も容易にすることができ、組立作業も容易にすることができるようにした連結遊技機を提供することができる。
【００５８】
（請求項４）
請求項４記載の発明によれば、上記した請求項１に記載の発明の効果に加え、次のような効果を奏する。
すなわち、請求項４記載の発明によれば、一つの長尺共通天板を複数台の遊技機で共通して、使用することができ、天板の部品数を少なくすることができ、それらの部品管理や保管や運搬も容易にすることができ、組立作業も容易にすることができるようにした連結遊技機を提供することができる。
（請求項５）
請求項５記載の発明によれば、上記した請求項１に記載の発明の効果に加え、次のような効果を奏する。
【００５９】
すなわち、請求項５記載の発明によれば、一つの長尺共通背板を複数台の遊技機で共通して、使用することができ、背板の部品数を少なくすることができ、それらの部品管理や保管や運搬も容易にすることができ、組立作業も容易にすることができるようにした連結遊技機を提供することができる。
（請求項６）
請求項６記載の発明によれば、上記した請求項１に記載の発明の効果に加え、次のような効果を奏する。
すなわち、請求項６記載の発明によれば、本体キャビネットの一部を、方形状の四角枠の状態から押し潰した状態にすることにより、占有容積を小さなものにすることができ、占有容積を取らずに、保管や、搬送をすることができ、部品の保管や、搬送を効率的なものにすることができるようにした連結遊技機を提供することができる。
【００６０】
（請求項７）
請求項７記載の発明によれば、上記した請求項１に記載の発明の効果に加え、次のような効果を奏する。
すなわち、請求項７記載の発明によれば、連結遊技機の本体キャビネット内部の空気の循環をよりスムーズなものにして、熱が特定の遊技機内部に籠もって、特定箇所の雰囲気温度が上昇するようなことを、よりいっそう回避することができるようにした連結遊技機を提供することができる。
【図面の簡単な説明】
【図１】
本発明の第一の実施の形態であって、本体キャビネットを示す概略斜視図である。
【図２】
本発明の第一の実施の形態であって、本体キャビネットを示す概略正面図である。
【図３】
本発明の第二の実施の形態であって、本体キャビネットを示す外観正面図である。
【図４】
本発明の第二の実施の形態であって、本体キャビネットの一部を変形させた状態を示す外観正面図である。
【図５】
本発明の第二の実施の形態であって、本体キャビネットの一部をさらに変形させた状態を示す外観正面図である。
【図６】
本発明の第二の実施の形態であって、本体キャビネットの差込貫通孔に、長尺共通中板を差し込んでいる状態を示す外観斜視図である。
【図７】
従来の遊技機を示す分解斜視図である。
【図８】
従来の遊技機の複数台の本体キャビネットを配置した状態を示す正面外観図である。
【符号の説明】
10  連結遊技機                      20  本体キャビネット
21  正面開口部                      30  前扉
40  遊技構成装置                    50  リールユニット
55  回転リール                      56  ホッパーユニット
60  底板                            61  長尺共通底板
65  天板                            66  長尺共通天板
70  側板                            71  共有側板
72  差込貫通孔                      73  貫通開口部
75  背板                            76  長尺共通背板
80  中板                            81  長尺共通中板
90  蝶番                            95  送風口
96  排気口                          120  本体キャビネット